(57)【要約】【課題】主電源スイッチにモーメンタリ形のスイッチを備える機器において、主電源の起動制御の構成を簡素化する。【解決手段】主電源をＯＮ―ＯＦＦを受付けるモーメンタリ形ＳＷ９０を備えた機器の電源を制御する装置に、電源供給を受付け、モーメンタリ形ＳＷ９０が受付けた指示にしたがい主電源のＯＮ―ＯＦＦを行う電源回路１０と、モーメンタリ形ＳＷ９０にしたがった機器の主電源の状態を示す情報を格納するＥＥＰＲＯＭ８０とを設ける。そして、ＥＥＰＲＯＭ８０は、電源が供給されると格納されている情報にしたがって電源回路１０が行う主電源のＯＮ―ＯＦＦ動作を制御する。【選択図】図１
2007090739.tif 000002
【特許請求の範囲】
【請求項１】
主電源のＯＮ―ＯＦＦ指示を受付けるモーメンタリ形スイッチを備えた機器の電源を制御する装置であって、
外部からの電源供給を受付け、前記モーメンタリ形スイッチが受付けた指示にしたがい前記機器への主電源のＯＮ―ＯＦＦ制御を行う電源制御部と、
前記電源制御部に信号ラインを介して接続され、前記モーメンタリ形スイッチにしたがった前記機器の主電源の状態を示す情報を格納すると共に、電源ラインを介して電源が供給されると前記格納されている情報にしたがった信号を出力する不揮発性メモリと、
前記不揮発性メモリから受け付ける信号が、前記主電源が供給中であることを示す情報の場合に前記主電源をＯＮ状態に制御し、前記主電源が供給中ではないことを示す情報の場合に前記主電源をＯＦＦ状態に制御するスイッチと、を備えること
を特徴とする装置。
【請求項２】
請求項１に記載の装置であって、
前記電源制御部への外部からの電源供給が切断されたか否かを検出する監視手段と、
前記電源制御部に信号ラインを介して接続され、前記電源制御部の指示にしたがって前記主電源のＯＮ−ＯＦＦ状態を制御する第２のスイッチと、を有し、
前記電源制御部は、前記モーメンタリ形スイッチが受付けた指示にしたがい、前記第２のスイッチへ主電源のＯＮ―ＯＦＦを指示し、前記電源制御部が第２のスイッチへＯＮにする指示を出している状態において、前記監視手段が外部からの電源供給が切断されたことを検出した場合、前記不揮発性メモリに前記機器への電源が供給中であることを示す情報を格納し、前記モーメンタリスイッチが主電源をＯＦＦにする指示を受け付けた場合、前記不揮発性メモリに前記機器への電源が供給中ではないことを示す情報を格納すること
を特徴とする装置。
【請求項３】
請求項１〜２のいずれか一項に記載の装置であって、
前記不揮発性メモリには、所定のアドレスが設定されていて、該所定のアドレスが指定する領域に前記機器の主電源の状態を示す情報が格納されること
を特徴とする装置。
【請求項４】
請求項１〜３のいずれか一項に記載の装置であって、
前記不揮発性メモリは、ＥＥＰＲＯＭ（Electrically Erasable Programmable Read-Only Memory）であること
を特徴とする装置。
【請求項５】
主電源のＯＮ―ＯＦＦ指示を受付けるモーメンタリ形スイッチを備えたプリンタであって、
外部からの電源供給を受付け、前記モーメンタリ形スイッチが受付けた指示にしたがい前記プリンタへの主電源のＯＮ―ＯＦＦ制御を行う電源制御部と、
前記電源制御部に信号ラインを介して接続され、前記モーメンタリ形スイッチにしたがった前記プリンタの主電源の状態を示す情報を格納すると共に、電源ラインを介して電源が供給されると前記格納されている情報にしたがった信号を前記電源制御部に出力する不揮発性メモリと、
前記不揮発性メモリから受け付ける信号が、前記主電源が供給中であることを示す情報の場合に前記主電源をＯＮ状態に制御し、前記主電源が供給中ではないことを示す情報の場合に前記主電源をＯＦＦ状態に制御するスイッチと、を備えること
を特徴とするプリンタ。
【発明の詳細な説明】
【技術分野】
【０００１】
本発明は、コンピュータ、プリンタ等の各種機器の電源を制御する技術に関する。
【背景技術】
【０００２】
プリンタ等の各種の機器には、主電源スイッチにロック形押しボタンスイッチを採用しているものがある。ロック形押しボタンスイッチを採用した機種は、内部の制御回路で動作エラーが生じた場合に電源を遮断しようとしても、スイッチがロックされているために電源を遮断できないという問題を有している。この問題を解決するために、主電源スイッチにモーメンタリ形押しボタンスイッチを採用することが行われている。但し、モーメンタリ形押しボタンスイッチを採用した機器では、利用者が遠隔から主電源スイッチのＯＮーＯＦＦを制御できないという別の問題が生じてしまう。例えば、モーメンタリ形スイッチを備えた機器をＬＡＮ等のネットワークに接続して利用する場合、利用者がわざわざ、その機器の設置された場所まで行って、主電源スイッチのＯＮ―ＯＦＦ操作を行う必要がある。
【０００３】
上述した問題を解決するための技術が特許文献１に記載されている。具体的には、特許文献１のプリンタは、主電源スイッチの押下げにしたがった状態、すなわち「電源が供給中」であるか否かを示す情報を記憶しておくＥＥＰＲＯＭ（Electrically Erasable Programmable Read-Only Memory）を有している。そして、プリンタは、外部からの商用電源が通電状態となった際に、ＣＰＵ（Central Processing Unit）を備えた論理回路がＥＥＰＲＯＭに記憶された情報を読み出し、その読み出した情報を用いて主電源の起動を制御するようにしている。このように構成することにより、特許文献１のプリンタでは、商用電源側でケーブルの抜き差しを行なったような場合でも、電源投入後に機器を以前の状態に復帰させ、即座に使用することができるようになる。
【０００４】
【特許文献１】特開平１１−３０１０６４号公報
【発明の開示】
【発明が解決しようとする課題】
【０００５】
しかしながら特許文献１は、以下の問題を有している。具体的には、特許文献１では、主電源の起動制御のために、ＥＥＰＲＯＭの情報を読み出す、ＣＰＵを備えた論理回路を設ける必要があり、起動制御の構成が複雑化してしまう。また、特許文献１では、ＣＰＵを動作させるために、主電源とは別の電源を用意しておく必要がある。
【０００６】
本発明は、上記事情に鑑みてなされたものであり、本発明の目的は、主電源スイッチにモーメンタリ形のスイッチを採用する機器において、主電源の起動制御の構成を簡素化することにある。
【課題を解決するための手段】
【０００７】
上記課題を解決するため、本発明の一態様は、主電源のＯＮ―ＯＦＦ指示を受付けるモーメンタリ形スイッチを備えた機器の電源を制御する装置に適用される。
【０００８】
そして、前記装置は、外部からの電源供給を受付け、前記モーメンタリ形スイッチが受付けた指示にしたがい前記機器への主電源のＯＮ―ＯＦＦ制御を行う電源制御部と、前記電源制御部に信号ラインを介して接続され、前記モーメンタリ形スイッチにしたがった前記機器の主電源の状態を示す情報を格納すると共に、電源ラインを介して電源が供給されると前記格納されている情報にしたがった信号を前記電源制御部に出力する不揮発性メモリと、前記不揮発性メモリから受け付ける信号が、前記主電源が供給中であることを示す情報の場合に前記主電源をＯＮ状態に制御し、前記主電源が供給中ではないことを示す情報の場合に前記主電源をＯＦＦ状態に制御するスイッチと、を備える。このように本一態様では、不揮発性メモリに、モーメンタリ形スイッチにしたがった機器の主電源の状態を示す情報を格納するようにしている。すなわち、本一態様では、不揮発性メモリに、前回のモーメンタリ形スイッチにしたがった主電源の状態（ＯＮ状態またはＯＦＦ状態）が格納されるようになる。そして、不揮発性メモリは、電源が供給されると自身に格納された上記の情報にしたがい機器の主電源のＯＮ―ＯＦＦの制御を行う。そのため、本一態様によれば、主電源スイッチにモーメンタリ形押しボタンスイッチが採用される機器においても、簡単な構成で、前回の機器の動作状態を再現することが可能になる。
【０００９】
また、前記装置は、前記電源制御部の指示にしたがって前記主電源のＯＮ−ＯＦＦ状態を制御する第２のスイッチと、前記電源制御部への外部からの電源供給が切断されたか否かを検出する監視手段と、を有し、前記電源制御部は、前記モーメンタリ形スイッチが受付けた指示にしたがい、前記第２のスイッチへ主電源のＯＮ―ＯＦＦを指示し、前記電源制御部が第２のスイッチへＯＮにする指示を出している状態において、前記監視手段が外部からの電源供給が切断されたことを検出した場合、前記不揮発性メモリに前記機器への電源が供給中であることを示す情報を格納し、前記モーメンタリスイッチが主電源をＯＦＦにする指示を受け付けた場合、前記不揮発性メモリに前記機器への電源が供給中ではないことを示す情報を格納することとしてもよい。
【００１０】
このように構成しておけば、不揮発性メモリへの情報の書き換えの回数を減少させることができる。そのため、不揮発性メモリに、書き換え回数が制限されるデバイスを利用する場合でも、主電源の起動制御のための構成の長寿命化を図ることができる。
【００１１】
また、前記不揮発性メモリには、所定のアドレスが設定されていて、該所定のアドレスが指定する領域に機器の主電源の状態を示す情報が格納されることとしてもよい。さらに、前記不揮発性メモリは、ＥＥＰＲＯＭ（Electrically Erasable Programmable Read-Only Memory）であることとしてもよい。
【００１２】
このように構成することにより、複雑な構成の回路を設けることなく、汎用品のデバイスを利用して主電源の起動制御を行うことができるようになる。
【００１３】
また、本発明の他の一態様は、主電源のＯＮ―ＯＦＦ指示を受付けるモーメンタリ形スイッチを備えたプリンタに適用される。
【００１４】
そして、前記プリンタは、外部からの電源供給を受付け、前記モーメンタリ形スイッチが受付けた指示にしたがい前記プリンタへの主電源のＯＮ―ＯＦＦ制御を行う電源制御部と、前記電源制御部に信号ラインを介して接続され、前記モーメンタリ形スイッチにしたがった前記プリンタの主電源の状態を示す情報を格納すると共に、電源ラインを介して電源が供給されると前記格納されている情報にしたがった信号を出力する不揮発性メモリと、前記不揮発性メモリから受け付ける信号が、前記主電源が供給中であることを示す情報の場合に前記主電源をＯＮ状態に制御し、前記主電源が供給中ではないことを示す情報の場合に前記主電源をＯＦＦ状態に制御スイッチと、を備える。
【００１５】
このように構成することにより、本発明の他の態様によれば、商用電源側で主電源の投入や切断を行うような場合でも、プリンタの主電源の起動制御を簡単な構成で実現することが可能となる。
【発明を実施するための最良の形態】
【００１６】
以下、本発明の実施形態について図面を用いて説明する。
【００１７】
先ず、本発明の第１施形態の構成について図１を用いて説明する。なお、以下では、本実施形態がプリンタに適用された場合について説明するがこれは例示に過ぎない。本実施形態をプリンタ以外の装置に適用するようにしてもかまわない。
【００１８】
図１は、本発明の第１実施形態のプリンタの構成図である。図示するように、プリンタは、電源回路１０、不揮発性メモリ用電源２０、ＤＣ・ＤＣコンバータ３０、プリントエンジン４０、制御回路６０、ＰＳＣ（Power Supply Control）トランジスタ７０、ＥＥＰＲＯＭ（Electrically Erasable Programmable Read-Only Memory）８０、およびモーメンタリ形押しボタンスイッチ９０を有する。
【００１９】
電源回路１０は、外部からの商用電源の供給を受け付け、プリンタの各部に電源を供給する。具体的には、電源回路１０は、商用電源が供給されると微小電圧（例えば、２〜３Ｖの電圧）をパワー系電源ラインに供給する。また、電源回路１０は、商用電源の供給を受け付けている際、ＰＳＣトランジスタ７０がＯＮ状態になると、所定電圧（例えば、４２Ｖの電圧）をパワー系電源ラインに供給する。
【００２０】
不揮発性メモリ用電源２０は、パワー系電源ラインを介して、電源回路１０からの電圧の供給を受付ける。そして、不揮発性メモリ用電源２０は、予め設定された電圧（例えば、３．３Ｖとする）以下の電圧だけをＥＥＰＲＯＭ８０に供給する。具体的には、不揮発性メモリ用電源２０は、ツェナーダイオードを有し、電源回路１０から供給される電圧が所定以下になるようにＥＥＰＲＯＭ８０に供給する。本実施形態の電源回路１０は、パワー系電源ラインに所定電圧（４２Ｖ）および微小電圧（２〜３Ｖ）のうちのいずれかを供給する。そのため、不揮発性メモリ用電源２０は、微小電圧（２〜３Ｖ）だけをＥＥＰＲＯＭ８０に供給することになる。その結果、ＥＥＰＲＯＭ８０には、電源回路１０に商用電源の供給が開始された際（例えば、電源回路１０に接続された電源ケーブルをコンセントに差込んだ際）に微小電圧が供給されるようになる。
【００２１】
モーメンタリ形押しボタンスイッチ９０は、利用者からの主電源のＯＮ―ＯＦＦ指示を受付ける。モーメンタリ形押しボタンスイッチ９０は、スイッチを押し下げている間だけ導通状態となり、それ以外の場合には非導通状態となる。利用者が、プリンタに主電源を投入しようとしてモーメンタリ形押しボタンスイッチ９０を押し下げると、電源回路１０がＯＮ状態になり、所定電圧（例えば、４２Ｖの電圧）をパワー系電源ラインに供給する。
【００２２】
また、プリンタに電源が供給されている状態（パワー系電源ラインに所定電圧が供給されている状態）で、利用者がプリンタの主電源を切断しようとしてモーメンタリ形押しボタンスイッチ９０を押し下げると、ＰＳＣトランジスタ７０は、ＯＦＦ状態になる。そして、電源回路１０は、供給中の所定電圧（例えば、４２Ｖの電圧）を遮断する。ＤＣ・ＤＣコンバータ３０は、パワー系電源ラインに供給されている所定電圧（４２Ｖ）を制御回路６０の動作に必要な電圧（例えば、３．３Ｖ）に変換する。プリントエンジン４０は、パワー系電源ラインから供給される所定電圧を受付けて印刷処理を行う。
【００２３】
制御回路６０は、ＤＣ・ＤＣコンバータ３０から供給される電圧を受けてプリンタ全体の電源制御を行う。なお、本実施形態では、制御回路６０の具体的な構成について特に限定しない。例えば、制御回路６０に、各種の処理を行うＣＰＵ（Central Processing Unit）と、プリンタの電源制御を行う制御プログラムを記憶しているＲＯＭ（Read Only Memory）と、ワークエリアとして機能するＲＡＭ（Random Access Memory）とを有する回路を用いるようにしてもよい。この場合、制御回路６０の機能は、ＣＰＵがＲＯＭに格納された制御プログラムをＲＡＭにロードして実行することにより実現される。なお、制御回路６０が行う具体的な処理は、後述する。
【００２４】
ＥＥＰＲＯＭ９０は、「プリンタの電源供給状態を示す情報」を格納する。なお、本実施形態では、「プリンタの電源供給状態を示す情報」の具体的な構成については特に限定しない。例えば、「プリンタの電源供給状態を示す情報」に１ビットの情報を用いるようにしてもよい。
【００２５】
また、ＥＥＰＲＯＭ９０は、状態記憶用電源２０から微小電圧が供給されると、自身に格納している「プリンタの電源供給状態を示す情報」にしたがいＰＳＣトランジスタ７０のＯＮ―ＯＦＦ制御を行う。なお、本実施形態では、「プリンタの電源供給状態を示す情報」を格納するためのストレージにＥＥＰＲＯＭ９０を用いる場合を説明するがこれは例示に過ぎない。ＥＥＰＲＯＭ９０に代えて、他の不揮発性メモリを用いるようにしてもよい。なお、他の不揮発性メモリは、少なくとも１ビットの情報が読み書きできればよい（例えば、１ビットのレジスタでよい）。
【００２６】
続いて、本実施形態のプリンタの電源制御の構成について、図１および図２を用いて詳細に説明する。
【００２７】
図２は、本実施形態の電源制御の構成を説明するための図である。なお、図２には、ＥＥＰＲＯＭ８０による電源制御の説明に必要な構成だけを示している。また、以下の実施形態の説明では、「プリンタの電源供給状態を示す情報」に、「１」あるいは「０」を示す情報を利用する場合を例にする。そして、ここでは、「１」は、プリンタに主電源が投入中である状態（パワー系電源ラインに所定電圧（４２Ｖ）が供給されている状態）を示し、「０」は、プリンタに主電源が投入中ではない状態（パワー系電源ラインに所定電圧（４２Ｖ）が供給されていない状態）を示すものとする。
【００２８】
先ず、本実施形態のＥＥＰＲＯＭ８０の構成について説明する。ＥＥＰＲＯＭ８０には、予め、「プリンタの電源供給状態を示す情報」を格納する領域を指定するアドレスが設定されている。そして、制御回路６０は、ＥＥＰＲＯＭ８０に設定されているアドレスが指定する領域に「プリンタの電源供給状態を示す情報（「１」或いは「０」を示す情報）」を格納する。
【００２９】
また、ＥＥＰＲＯＭ８０は、不揮発性メモリ用電源２０から微小電圧（２〜３Ｖ）を供給された場合、自身に設定されているアドレスが指定する領域に格納されている「プリンタの電源供給状態を示す情報」を読み出す。ＥＥＰＲＯＭ８０は、読み出した「プリンタの電源供給状態を示す情報」が「１」の場合にＰＳＣトランジスタ７０をＯＮ状態に設定する（ＥＥＰＲＯＭ８０が微小電圧を受けた際の処理は、後述する図３で詳細に説明する）。
【００３０】
続いて、ＥＥＰＲＯＭ８０に「プリンタの電源供給状態を示す情報」を格納するタイミングについて説明する。本実施形態では、モーメンタリ形押しボタンスイッチ９０による主電源のＯＮ/ＯＦＦ操作を受ける毎に、ＥＥＰＲＯＭ８０の「プリンタの電源供給状態を示す情報」を書き換える。
【００３１】
具体的には、電源回路１０に商用電源が供給されていて、且つプリンタに主電源が投入されていない状態で、モーメンタリ形押しボタンスイッチ９０にＯＮ操作が行われると（モーメンタリ形押しボタンスイッチ９０が押し下げられると）、電源回路１０がＯＮ状態になり、パワー系電源ラインに所定電圧（４２Ｖの電圧）を供給する。その結果、プリンタが稼動可能な状態になる。そして、パワー系電源ラインに所定電圧（４２Ｖの電圧）が供給されて、ＤＣ・ＤＣコンバータ３０が、パワー系電源ラインに供給されている所定電圧（４２Ｖ）を制御回路６０の動作に必要な電圧（例えば、３．３Ｖ）に変換すると、制御回路６０が、ＥＥＰＲＯＭ８０に設定されているアドレスが指定する領域に「電源供給中の状態を示す情報（「１」を示す情報）」を格納する。ＰＳＣトランジスタ７０は、ＥＥＰＲＯＭ８０に格納された「電源供給中の状態を示す情報」を受けて、ＯＮ状態となる。この後、ユーザがモーメンタリ形押しボタンスイッチ９０を押すことをやめた場合においても、ＰＳＣトランジスタ７０は電源１０のＯＮ状態を保持する。
【００３２】
また、プリンタに主電源が投入されている状態において、モーメンタリ形押しボタンスイッチ９０の押下げが検出されると、制御回路６０は、ＥＥＰＲＯＭ９０に格納された「プリンタの電源供給状態を示す情報」を、「電源供給中の状態を示す情報（「１」を示す情報）」から「電源供給停止中の状態を示す情報（「０」を示す情報）」に書き換える。ＰＳＣトランジスタ７０は、ＥＥＰＲＯＭ８０に格納された「電源供給停止中の状態を示す情報」を受けて、ＯＦＦ状態となる。ＰＳＣトランジスタ７０がＯＦＦ状態になると、電源回路１０は、パワー系電源ラインに供されている所定電圧（４２Ｖの電圧）を遮断する。
【００３３】
また、モーメンタリ形押しボタンスイッチ９０の操作ではなく、電源回路１０に供給されている商用電源が遮断されることにより（例えば、電源回路１０に接続された電源ケーブルをコンセントから抜いた場合）、電源供給中のプリンタの主電源が切断される場合がある。この場合、本実施形態の制御回路６０は、ＥＥＰＲＯＭ８０の情報の書換えを行わない。この結果、主電源が投入中の状態で商用電源が遮断された場合、ＥＥＰＲＯＭ８０には、「電源供給中の状態を示す情報（例えば、「１」を示す情報）」が格納されたままとなる。
【００３４】
続いて、本実施形態の電源制御の処理のフローについて図３を用いて説明する。
【００３５】
図３は、本実施形態の電源制御の処理のフローを説明するための図である。
【００３６】
先ず、電源回路１０は、商用電源に接続されると、２〜３Ｖの微小電圧をパワー系電源ラインに供給する（Ｓ１００）。そして、微小電圧がパワー系電源ラインに供給された場合、不揮発性メモリ用電源２０は、パワー系電源ラインからの微小電圧の供給を受け、その受けた微小電圧をＥＥＰＲＯＭ８０に供給する。そして、ＥＥＰＲＯＭ８０は、微小電圧を受けて起動する。
【００３７】
次に、微小電圧を受けたＥＥＰＲＯＭ８０は、自身に設定されているアドレスが指定する領域に格納されている「プリンタの電源供給状態を示す情報」を読み出す。ＥＥＰＲＯＭ８０は、読み出した「プリンタの電源供給状態を示す情報」が「１」の場合に、ＰＳＣトランジスタ７０への出力を「１」にする（ＰＳＣトランジスタ７０をＯＮに制御する信号を出力する）。一方、ＥＥＰＲＯＭ８０は、読み出した「プリンタの電源供給状態を示す情報」が「０」の場合に、ＰＳＣトランジスタ７０への出力を「０」にする（ＰＳＣトランジスタ７０をＯＦＦに制御する信号を出力する）。そして、ＥＥＰＲＯＭ８０の出力が「１」の場合にＳ１２０の処理に進み、「１」ではない場合にＳ１３０の処理に進む（Ｓ１１０）。
【００３８】
Ｓ１２０では、ＥＥＰＲＯＭ８０からの情報により、ＰＳＣトランジスタ７０が「ＯＮ」状態になる。これにより、電源回路１０は、パワー系電源ラインに供給する電圧を微小電圧から所定電圧（４２Ｖの電圧）に切り替える。この結果、プリンタの各部（制御回路６０、プリントエンジン４０等）に稼動に必要な電圧が供給されて、プリンタが稼動可能な状態になる。
【００３９】
Ｓ１３０では、ＰＳＣトランジスタ７０は、「ＯＦＦ」状態になる。この場合、電源回路１０がパワー系電源ラインに供給する電圧は、微小電圧のままである。この結果、プリンタは、主電源がＯＦＦの状態となる。すなわち、モーメンタリ形押しボタンスイッチ９０の操作により、プリンタの主電源を切断してから商用電源を切断しておけば、次に、プリンタに商用電源を供給しただけでは、プリンタに主電源が自動的に投入されることはない。
【００４０】
以上にように、本実施形態では、モーメンタリ形押しボタンスイッチ９０を備えたプリンタに、「プリンタの電源供給状態を示す情報」を格納するＥＥＰＲＯＭ８０を設けるようにしている。また、ＥＥＰＲＯＭ８０は、プリンタに商用電源が供給すれば、主電源操作に関係なく、パワー系電源ラインに供給される微小電圧で起動する。そして、ＥＥＰＲＯＭ８０は、自身に格納されている「プリンタの電源供給状態を示す情報」を用いてプリンタの主電源の起動を制御する。
【００４１】
このように、本実施形態によれば、主電源スイッチにモーメンタリ形押しボタンスイッチが採用されるプリンタにおいても、バッテリなどの別電源や起動制御のためのＣＰＵを設けることなく、簡単な構成で、前回のプリンタの起動状態を再現することが可能になる。すなわち、本実施形態では、プリンタに商用電源を供給すれば、プリンタの主電源スイッチを操作しなくても、プリンタを以前の状態に復帰させ、即座に使用することができるようになる。
【００４２】
そのため、例えば、ブレーカなどで一括して機器の主電源のＯＮ―ＯＦＦ制御を行う場合であっても、利用者がいちいちプリンタ等の機器の主電源スイッチを操作して回らずに済むようになる。また、本実施形態では、ロック形の押しボタンスイッチを利用していないため、制御回路に動作エラーが発生したような場合でも制御回路の電源を遮断することが可能である。
【００４３】
続いて、本発明の第２実施形態について、図４を用いて説明する。なお、第２実施形態の説明において、第１実施形態と同じ構成については同じ符号を用いることとする。また、第２実施形態の説明では、第１実施形態と異なる部分を中心に説明する。
【００４４】
図４は、本発明の第２実施形態のプリンタの構成図である。図示するように、第２実施形態のプリンタは、図１に示す第１実施形態の構成に電圧監視回路５０と第二のＰＳＣ（Power Supply Control）トランジスタ１００を付加したものである。そして、第２実施形態は、第１実施形態のように、主電源のＯＮ/ＯＦＦ操作を受ける毎に、ＥＥＰＲＯＭ８０の情報の書き換えるのではなく、商用電源の供給が切断された場合にＥＥＰＲＯＭ８０の情報の書き換える構成を採用している。なお、第２実施形態では、ＥＥＰＲＯＭ８０に格納する「プリンタの電源供給状態を示す情報」は、デフォルトの状態で「電源供給停止中を示す情報（「０」を示す情報）」が格納されているものとする。また、第２実施形態は、電圧監視回路５０と第二のＰＳＣトランジスタ１００を設けた点と、制御回路６０が行う処理の一部とが異なる以外は、第１実施形態のものと同じである。
【００４５】
電源回路１０に商用電源が供給されていて、且つプリンタに主電源が投入されていない状態で、モーメンタリ形押しボタンスイッチ９０にＯＮ操作が行われると（モーメンタリ形押しボタンスイッチ９０が押し下げられると）、電源回路１０がＯＮ状態になり、パワー系電源ラインに所定電圧（４２Ｖの電圧）を供給する。その結果、プリンタが稼動可能な状態になる。そして、パワー系電源ラインに所定電圧（４２Ｖの電圧）が供給されて、ＤＣ・ＤＣコンバータ３０が、パワー系電源ラインに供給されている所定電圧（４２Ｖ）を制御回路６０の動作に必要な電圧（例えば、３．３Ｖ）に変換すると、制御回路６０は、ＰＳＣトランジスタ１００をＯＮ状態にする。この後、ユーザがモーメンタリ形押しボタンスイッチ９０を押すことをやめた場合においても、ＰＳＣトランジスタ１００は電源１０のＯＮ状態を保持する。
【００４６】
また、プリンタに主電源が投入されている状態において、モーメンタリ形押しボタンスイッチ９０の押下げが検出されると、制御回路６０は、ＰＳＣトランジスタ１００をＯＦＦ状態にする。ＰＳＣトランジスタ１００がＯＦＦ状態になると、電源回路１０は、パワー系電源ラインに供されている所定電圧（４２Ｖの電圧）を遮断する。
【００４７】
さて、電圧監視回路５０は、プリンタに主電源が投入されている場合、電源回路１０に商用電源が供給されているか否かの監視を行う。電圧監視回路５０は、電源回路１０への商用電源の供給が遮断された場合、商用電源の供給が遮断されたことを示す信号を制御回路６０に出力する。具体的には、電圧監視回路５０は、パワー系電源ラインの電圧低下を検出することで商用電源の供給が遮断されたか否かを監視する。
【００４８】
制御回路６０は、商用電源の供給が遮断されたことを示す信号を受けると、ＥＥＰＲＯＭ８０に「電源供給中の状態を示す情報（「１」を示す情報）」を格納する。また、第２実施形態では、制御回路６０は、上述した図３のＳ１２０の処理でプリンタの主電源が投入された状態になった場合、ＥＥＰＲＯＭ８０の「プリンタの電源供給状態を示す情報」をデフォルトの状態に戻しておくようにする。具体的には、制御回路６０は、Ｓ１２０の処理により電圧が供給された際、ＥＥＰＲＯＭ８０に格納された「プリンタの電源供給状態を示す情報」を、「電源供給中の状態を示す情報（「１」を示す情報）」から「電源供給停止中の状態を示す情報（「０」を示す情報）」に書き換える。このように構成することで、プリンタに主電源が投入されている状態で商用電源が遮断された場合にだけ、ＥＥＰＲＯＭ８０に「電源供給中の状態を示す情報（例えば、「１」を示す情報）」が格納されることとなる。
【００４９】
このように、第２実施形態によれば、ＥＥＰＲＯＭ８０への情報の書き込みを上述したタイミングに限定している。これは、ＥＥＰＲＯＭ８０に、情報の書き換え回数の制限があることを考慮したためである。そのため、第２実施形態によれば、第１実施形態の効果に加えて、さらに、電源制御のための構成の長寿命化を図ることが可能となる。
【００５０】
なお、本発明は以上で説明した実施形態に限定されるものではなく、本発明の要旨の範囲内において種々の変形が可能である。例えば、上記の実施形態では、電源制御を行う構成をプリンタに内蔵している場合を例にしたが、独立の電源制御装置として構成されていてもよい。
【図面の簡単な説明】
【００５１】
【図１】本発明の第１実施形態のプリンタの構成図である。
【図２】本発明の第１実施形態の電源制御の構成を説明するための図である。
【図３】本発明の第１実施形態の電源制御の処理のフロー図である。
【図４】本発明の第２実施形態のプリンタの構成図である。
【符号の説明】
【００５２】
１０…電源回路、２０…不揮発性メモリ用電源、３０…ＤＣ・ＤＣコンバータ、４０…プリントエンジン、５０…電圧監視回路、６０…制御回路、７０…ＰＳＣトランジスタ、８０…ＥＥＰＲＯＭ、９０…モーメンタリ形押しボタンスイッチ、１００…ＰＳＣトランジスタ
【図１】
2007090739.tif 000003
【図２】
2007090739.tif 000004
【図３】
2007090739.tif 000005
【図４】
2007090739.tif 000006